(57)【要約】【課題】信号処理装置の大型化を招くことなく、複数の信号ライン間でのクロストークを防止することである。【解決手段】信号処理装置にクロストークを防止するための信号干渉防止ユニット１０を設ける。信号干渉防止ユニット１０を、信号処理装置の外部端子５ｂに信号ケーブル７の接続端子７ｂが挿入されたことを検知する接続端子検知手段８と、接続端子検知手段８が接続端子７ｂを検知したか否かに応じて異なった動作する第一のスイッチング素子２とによって構成する。接続端子検知手段８が接続端子７ｂを検知しない場合には、第一のスイッチング素子２が導通状態とされ、信号ライン１５ｂが接地される。これにより、信号ケーブル７が接続されず、信号処理に用いられない信号ライン１５ｂを接地することにより、接地されたラインを特別に設けることなく他の信号ライン１５ａ、１６、１９間のクロストークを防止することができる。【選択図】　図１
2004032396.tif 000002
【特許請求の範囲】
【請求項１】
外部端子と該外部端子に接続される信号ラインとを複数備え、信号ケーブルの接続端子を前記外部端子に挿入して信号ケーブルを接続することにより前記信号ラインに信号が入力され及び／又は前記信号ラインより信号を出力する信号処理装置に設けられる信号干渉防止ユニットであって、
前記信号ラインと接地との間に設けられる第一のスイッチング素子と、前記信号ケーブルの接続端子が前記信号処理装置の外部端子に挿入されているか否か検知する接続端子検知手段とを備え、
前記接続端子検知手段が前記信号ケーブルの接続端子を検知しないと、前記第一のスイッチング素子を導通状態として前記信号ラインを接地に接続するとともに、
前記接続端子検知手段が前記信号ケーブルの接続端子を検知すると、前記第一のスイッチング素子を非導通状態とすることを特徴とする信号干渉防止ユニット。
【請求項２】
前記第一のスイッチング素子が第一の半導体スイッチング素子であり、該第一の半導体スイッチング素子は、入力端子が前記信号ラインに接続されるとともに出力端子が接地に接続されており、前記入力端子と出力端子の間が、制御端子に制御電圧が印加される場合に導通状態となるとともに、制御端子に制御電圧が印加されない場合に非導通状態となり、
一方の端子と他方の端子を有し、一方の端子に前記第一の半導体スイッチング素子に対する制御電圧が印加されるように接続されるとともに、他方の端子が接地に接続される第二のスイッチング素子が設けられており、
前記第二のスイッチング素子は、前記一方の端子と他方の端子の間が、前記接続端子検知手段が前記信号ケーブルの接続端子を検知すると導通状態とされ、前記接続端子検知手段が前記信号ケーブルの接続端子を検知しないと非導通状態とされるように設けられており、
前記接続端子検知手段が前記信号ケーブルの接続端子を検知すると、前記第二のスイッチング素子が導通状態とされ前記制御電圧が接地されて前記第一の半導体スイッチング素子が非導通状態とされ、
前記接続端子検知手段が前記信号ケーブルの接続端子を検知しないと、前記第二のスイッチング素子が非導通状態とされ前記第一の半導体スイッチング素子が導通状態とされることを特徴とする請求項１に記載の信号干渉防止ユニット。
【請求項３】
前記接続端子検知手段は、前記信号ケーブルの接続端子が前記信号処理装置の外部端子に挿入されているか否かを第一の位置と第二の位置の間で物理的に変位する検出体の位置によって検知するようにされており、
前記信号ケーブルの接続端子が信号処理装置の外部端子に挿入されず前記検出体が第一の位置にあると、前記第二のスイッチング素子が非導通状態とされ、
前記信号ケーブルの接続端子が信号処理装置の外部端子に挿入され前記検出体が第二の位置にあると、前記第二のスイッチング素子が導通状態とされる請求項２に記載の信号干渉防止ユニット。
【請求項４】
外部端子と該外部端子に接続される信号ラインを複数備え、信号ケーブルの接続端子を前記外部端子に挿入して信号ケーブルを接続することにより前記信号ラインに信号が入力され及び／又は前記信号ラインより信号を出力する信号処理装置であって、
前記信号ラインと接地との間に設けられる第一のスイッチング素子と、前記信号ケーブルの接続端子が前記外部端子に挿入されているか否か検知する接続端子検知手段とを備えた信号干渉防止ユニットが設けられており、
前記接続端子検知手段が前記信号ケーブルの接続端子を検知しないと、前記第一のスイッチング素子を導通状態として前記信号ラインを接地に接続するとともに、
前記接続端子検知手段が前記信号ケーブルの接続端子を検知すると、前記第一のスイッチング素子を非導通状態とする信号干渉防止ユニットが設けられた信号処理装置。
【請求項５】
前記第一のスイッチング素子が第一の半導体スイッチング素子であり、該第一の半導体スイッチング素子は、入力端子が前記信号ラインに接続されるとともに出力端子が接地に接続されており、前記入力端子と出力端子の間が、その制御端子に制御電圧が印加される場合に導通状態となるとともに、制御端子に制御電圧が印加されない場合に非導通状態となり、
前記信号干渉防止ユニットには、一方の端子と他方の端子を有し、一方の端子に前記第一の半導体スイッチング素子に対する制御電圧が印加されるように接続されるとともに、他方の端子が接地に接続される第二のスイッチング素子が設けられており、
前記第二のスイッチング素子は、前記一方の端子と他方の端子の間が、前記接続端子検知手段が前記信号ケーブルの接続端子を検知すると導通状態とされ、前記接続端子検知手段が前記信号ケーブルの接続端子を検知しないと非導通状態とされるように設けられており、
前記接続端子検知手段が前記信号ケーブルの接続端子を検知すると、前記第二のスイッチング素子が導通状態とされ前記制御電圧が接地されて第一の半導体スイッチング素子が非導通状態とされ、
前記接続端子検知手段が前記信号ケーブルの接続端子を検知しないと、前記第二のスイッチング素子が非導通状態とされ前記第一の半導体スイッチング素子が導通状態とされることを特徴とする請求項４に記載の信号処理装置。
【請求項６】
前記接続端子検知手段は、前記信号ケーブルの接続端子が前記信号処理装置の外部端子に挿入されているか否かを第一の位置と第二の位置の間で物理的に変位する検出体の位置によって検知するようにされており、
前記信号ケーブルの接続端子が前記信号処理装置の外部端子に挿入されず前記検出体が第一の位置にあると、前記第二のスイッチング素子が非導通状態とされ、
前記信号ケーブルの接続端子が前記信号処理装置の外部端子に挿入され前記検出体が第二の位置にあると、第二のスイッチング素子が導通状態とされる請求項５に記載の信号処理装置。
【請求項７】
前記信号干渉防止ユニットが、前記外部端子及び該外部端子に接続される信号ラインの複数に対して設けられることを特徴とする信号処理装置。
【発明の詳細な説明】
【０００１】
【発明の属する技術分野】
本発明は、信号干渉防止ユニット及び信号処理装置に関する。
【０００２】
【従来の技術】
テレビやＶＴＲ等の映像や音声を処理する装置では、複数の信号が処理される。そして、これら音声や映像等の信号を処理する信号処理装置には、各種の信号を伝達するための複数の信号ラインが配設されている。
【０００３】
そして、これら複数の信号ラインは、装置の限られたスペースに効率良く配置するため、互いに並走して配置されている。そして、信号ラインを互いに並走させて配置すると、これら信号ラインを伝わる信号間のクロストーク（干渉）を引き起こし易くなる。
【０００４】
【発明が解決しようとする課題】
ここで、信号ラインに沿って接地されたラインを適当に配置すると、他の信号ラインを伝わる信号による影響を接地されたラインによって遮蔽することができ、信号ライン間のクロストークを防ぐことができる。しかし、接地されたラインを信号ラインに沿って配置することは、そのためのスペースを必要とし、装置の大型化を招くこととなり好ましくない。
【０００５】
そこで、本発明は、信号処理装置の大型化を招くことなくクロストークを防止することができる信号干渉防止ユニット、及び信号処理装置を提供することを目的とする。
【０００６】
【課題を解決するための手段】
上記課題を解決するため、本発明は、外部端子と該外部端子に接続される信号ラインとを複数備え、信号ケーブルの接続端子を前記外部端子に挿入して信号ケーブルを接続することにより前記信号ラインに信号が入力され及び／又は前記信号ラインより信号を出力する信号処理装置に設けられる信号干渉防止ユニットであって、
前記信号ラインと接地との間に設けられる第一のスイッチング素子と、前記信号ケーブルの接続端子が前記信号処理装置の外部端子に挿入されているか否か検知する接続端子検知手段とを備え、
前記接続端子検知手段が前記信号ケーブルの接続端子を検知しないと、前記第一のスイッチング素子を導通状態として記信号ラインを接地に接続するとともに、
前記接続端子検知手段が前記信号ケーブルの接続端子を検知すると、前記第一のスイッチング素子を非導通状態とすることを特徴とする信号干渉防止ユニットである（請求項１）。
【０００７】
この発明の信号干渉防止ユニットによると、この信号干渉防止ユニットが設けられる信号処理装置の外部端子に信号ケーブルの接続端子が挿入されているか否か、即ち信号ケーブルが接続されているか否かを検知する。
【０００８】
そして、信号ケーブルの接続端子が外部端子に挿入されていないことを検知すると、第一のスイッチング素子を導通状態として、接続端子が検知されなかった外部端子に接続される信号ラインを接地する。これにより、信号処理を行わない信号ラインを接地することにより、信号処理が行われる他の信号ライン間のクロストークを防止できる。
【０００９】
一方、信号干渉防止ユニットが設けられる外部端子に信号ケーブルの接続端子が挿入されていることを検知すると、第一のスイッチング素子を非導通状態とするので、接続端子が検知された信号ラインは信号処理を行うことができる。
【００１０】
このように、この発明の信号干渉防止ユニットによると、信号処理に用いられない外部端子を検出し、対応する信号ラインを接地することにより他の信号ライン間のクロストークを防止することができる。これにより、接地されたラインを信号処理装置に特別に設けることなくクロストークを防止することができる。
【００１１】
また、前記信号干渉防止ユニットについて、前記第一のスイッチング素子を第一の半導体スイッチング素子とし、該第一の半導体スイッチング素子を、入力端子を前記信号ラインに接続するとともに出力端子を接地に接続し、前記入力端子と出力端子の間が、制御端子に制御電圧が印加される場合に導通状態となるとともに、制御端子に制御電圧が印加されない場合に非導通状態となるように接続し、
一方の端子と他方の端子を有し、一方の端子に前記第一の半導体スイッチング素子に対する制御電圧が印加されるように接続されるとともに、他方の端子が接地に接続される第二のスイッチング素子を設け、
前記第二のスイッチング素子を、前記一方の端子と他方の端子の間が、前記接続端子検知手段が前記信号ケーブルの接続端子を検知すると導通状態とされ、前記接続端子検知手段が前記信号ケーブルの接続端子を検知しないと非導通状態とされるように設け、
前記接続端子検知手段が前記信号ケーブルの接続端子を検知すると、前記第二のスイッチング素子が導通状態とされ前記制御電圧が接地されて前記第一の半導体スイッチング素子が非導通状態とされ、
前記接続端子検知手段が前記信号ケーブルの接続端子を検知しないと、前記第二のスイッチング素子が非導通状態とされ前記第一の半導体スイッチング素子が導通状態とされるように構成することができる（請求項２）。
【００１２】
この発明の信号干渉防止ユニットによると、第一のスイッチング素子として半導体スイッチング素子を設けるので、信号干渉防止ユニットをコンパクトに構成することができる。
【００１３】
そして、第一の半導体スイッチング素子が導通状態とされるか非導通状態とされるかは、接続端子検知手段による接続端子の検知に応じて第二のスイッチング素子が導通状態とされるか非導通状態とされるかによって制御される。
【００１４】
また、前記接続端子検知手段を、前記信号ケーブルの接続端子が前記信号処理装置の外部端子に挿入されているか否かを第一の位置と第二の位置の間で物理的に変位する検出体の位置によって検知するように構成することができ、
前記信号ケーブルの接続端子が信号処理装置の外部端子に挿入されず前記検出体が第一の位置にあると、前記第二のスイッチング素子が非導通状態とされ、
前記信号ケーブルの接続端子が信号処理装置の外部端子に挿入され前記検出体が第二の位置にあると、前記第二のスイッチング素子が導通状態とされるようにすることができる（請求項３）。
【００１５】
この発明の信号干渉防止ユニットによると、接続端子検知手段が検出体の物理的な変位によって信号ケーブルの接続端子が挿入されているか否かを検知するので、簡易な機構によって接続端子検知手段を構成することができる。
【００１６】
また、以上の信号干渉防止ユニットが設けられた信号処理装置によると（請求項４乃至６）、前述のように信号処理に用いられない外部端子を検知し、その信号ラインを接地して、他の信号ライン間のクロストークを防止することができる。これにより、クロストークを防止するための特別の接地されたラインを設ける必要がなく、信号処理装置をコンパクトにできる。
【００１７】
また、上記信号干渉防止ユニットを、前記外部端子及び該外部端子に接続される信号ラインの複数に対して設けられた信号処理装置によると、信号処理に用いられない複数の信号ラインを接地することができる。これにより、より確実にクロストークを防止することができる。
【００１８】
【発明の実施の形態】
以下、本発明の実施の形態を図面に基づいて説明する。図１は、本発明にかかる信号干渉防止ユニットを設けた信号処理装置の一例を示す図であり、本発明にかかる信号干渉防止ユニットの回路図を表している。
【００１９】
図１に示される信号処理装置は、テレビモニタに映像を映すための映像信号の処理に用いられる。図１に示される信号処理装置には、外部端子５、６、９が設けられている。外部端子５には信号ライン１５が接続され、外部端子６には信号ライン１６が接続され、外部端子９には信号ライン１９が接続されている。
【００２０】
図１に示される信号処理装置において、外部端子５は、Ｓ信号入力端子でありＳビデオ信号が入力される。外部端子５は、Ｓビデオ信号のうちＹ信号（輝度信号）が入力される端子５ａと、Ｃ信号（色信号）が入力される端子５ｂを備えている。
【００２１】
外部端子５ａには信号ライン１５ａが接続され、外部端子５ｂには信号ライン１５ｂが接続されている。信号ライン１５ａ及び信号ライン１５ｂには、信号処理回路としてＹ／Ｃ処理回路１１が接続されている。Ｙ／Ｃ処理回路１１は、信号ライン１５ａより入力されるＹ信号、及び信号ライン１５ｂより入力されるＣ信号を処理する。
【００２２】
そして、信号ケーブル７の先端の接続端子７ａを対応する端子５ａに挿入し、接続端子７ｂを対応する端子５ｂに挿入して信号ケーブル７を接続することにより、信号ケーブル７を送信されたＳビデオ信号が外部端子５より入力され、信号ライン１５よりＹ／Ｃ処理回路１１に入力される。なお、信号ケーブル７には、Ｙ信号を送信するケーブル及びＣ信号を送信するケーブルからなる複数のケーブルが配設されている。
【００２３】
図１に示される外部端子６は、コンポジット信号を入力するためのコンポジット入力端子であり、信号ライン１６には、コンポジット信号を処理するための図示されない所要の回路が接続されている。
【００２４】
そして、接続端子１７ａを外部端子６に挿入して信号ケーブル１７を接続することにより、信号ケーブル１７を送信されたコンポジット信号が外部端子６より入力され信号ライン１６を通って処理される。
【００２５】
また、図１に示される信号処理装置には、その他の信号を入力するための外部端子９が設けられる。そして、接続端子２７ａを外部端子９に挿入して信号ケーブル２７を接続することにより、信号ケーブル２７を送信された信号を信号ライン１９より所要の回路に入力して処理することができる。
【００２６】
また、図１に示される信号処理装置には、信号干渉防止ユニット１０が設けられている。信号干渉防止ユニット１０は、第一のスイッチング回路１と接続端子検知手段８と第二のスイッチング素子３を備えている。
【００２７】
第一のスイッチング回路１には、第一のスイッチング素子にあたり、また半導体スイッチング素子にあたるトランジスタ２が接続されている。トランジスタ２は、ベース端子２ｂとエミッタ端子２ｅとコレクタ端子２ｃを備えている。
【００２８】
トランジスタ２のコレクタ端子２ｃは、信号ライン１５ｂに接続されている。このトランジスタ２のコレクタ端子は入力端子にあたる。またトランジスタ２のエミッタ端子２ｅは、接地に接続されている。このトランジスタ２のエミッタ端子２ｅは出力端子にあたる。
【００２９】
また、トランジスタ２のベース端子２ｂは、制御電圧供給端子２０に接続されている。制御電圧供給端子２０には、電源Ｅｃが抵抗Ｒを介して接続されており、トランジスタ２の動作を制御する制御電圧が電源Ｅｃより供給される。トランジスタ２のベース端子２ｂは、制御電圧が入力される端子であり、制御端子にあたる。
【００３０】
電源Ｅｃより出力された制御電圧がトランジスタ２のベース端子２ｂに印加されると、トランジスタ２のコレクタ端子２ｃとエミッタ端子２ｅ間が導通状態とされる。これにより、信号ライン１５ｂは、接地に接続されて接地された状態となる。
【００３１】
一方、電源Ｅｃより出力された制御電圧がトランジスタ２のベース端子２ｂに入力されない場合には、トランジスタ２のコレクタ端子２ｃとエミッタ端子２ｅの間は非導通状態とされる。従って、信号ライン１５ｂは、接地に接続されず、信号を伝達することができる。
【００３２】
第二のスイッチング素子３は、一方の端子３ａと他方の端子３ｂの間が機械的な接点の動作によってオン／オフ（ＯＮ／ＯＦＦ）される通常のスイッチによって構成されている。第二のスイッチング素子３は、一方の端子３ａが制御電圧供給端子２０に接続され、他方の端子３ｂが接地に接続されている。
【００３３】
そして、スイッチング素子３は、後に説明する接続端子検知手段８による接続端子７ｂの検知に応じて、オンとオフが切り換えられるようにされている。そして、スイッチング素子３がオンされると、一方の端子３ａと他方の端子３ｂとの間が導通状態となり、制御電圧供給端子２０は接地され、トランジスタ２のベース端子２ｂには制御電圧が入力されない。
【００３４】
一方、スイッチング素子３がオフされると、一方の端子３ａと他方の端子３ｂの間が非導通状態となり、制御電圧供給端子２０よりトランジスタ２のベース端子２ｂに制御電圧が入力される。
【００３５】
接続端子検知手段８は、外部端子５ｂに信号ケーブル７の接続端子７ｂが挿入されたか否かを検知する。この接続端子検知手段８は、特に図示しない検出体を備えており、この検出体の位置に応じて、外部端子５ｂに接続端子７ｂが挿入されているか否か検知する。
【００３６】
接続端子検知手段８に備わる検出体は、接続端子７ｂが挿入されていない状態では第一の位置に位置するように位置決めされている。そして、検出体は、外部端子５ｂに接続端子７ｂが挿入されると、これに応じて物理的な変位を生じ、第二の位置に変位して第二の位置に位置決めされる。なお、検出体は、接続端子７ｂが外部端子５ｂに挿入された後に取り外されると、再度第一の位置に戻る。
【００３７】
そして、接続端子検知手段８は、その検出体が第一の位置にある場合には第二のスイッチング素子３をオフさせて端子３ａと３ｂの間を非導通状態とし、検出体が第二の位置にある場合には第二のスイッチング素子３をオンさせて端子３ａと３ｂの間を導通状態とする。
【００３８】
以上に説明した信号ケーブル７の接続端子７ｂが挿入されているか否かに応じて接続端子検知手段８がスイッチング素子３をオン又はオフさせるものに関して、Ｓビデオ信号入力端子に付設される公知の手段を採用することができる。
【００３９】
即ち、信号ケーブルの接続端子が挿入されたことを検知する手段を設け、接続端子が挿入されたか否かに応じてスイッチをオン又はオフさせるものは、従来のＳ信号入力端子に接続端子が挿入されたことを検知する技術として公知である。
【００４０】
本発明にかかる接続端子検知手段８を設け、接続端子検知手段８による接続端子７ｂの検知に応じて第二のスイッチング素子３をオン又はオフさせる回路を構成するにあたり、上記Ｓ信号入力端子に接続端子が挿入されたことを検知する公知の技術を採用することができる。
【００４１】
次に、以上に説明した信号処理装置を動作させる例について説明する。図１に示される信号処理装置において、Ｓビデオ信号を処理する必要がなく、コンポジット信号及び信号ケーブル２７により送信される他の信号を処理したい場合には、信号ケーブル１７及び信号ケーブル２７が信号処理装置に接続され、信号ケーブル７は接続されない。
【００４２】
信号ケーブル１７及び信号ケーブル２７を信号処理装置に接続することにより、コンポジット信号及び信号ケーブル２７により送信される他の信号が信号処理装置に入力され、所要の信号処理が行われる。
【００４３】
そして、信号ケーブル７は外部端子５に接続されないので、接続端子検知手段８は接続端子７ｂの挿入を検知せず、第二のスイッチング素子３はオフされた状態となる。
【００４４】
これにより、トランジスタ２は、制御電圧供給端子２０より制御電圧を印加され、コレクタ端子２ｃとエミッタ端子２ｅとの間が導通状態とされる。そして、信号ライン１５ｂはトランジスタ２によって接地に接続され、接地電位とされる。
【００４５】
信号ライン１５ｂが接地されることにより、信号が伝送される信号ライン１５ａと信号ライン１６と信号ライン１９の間でのクロストークを防ぐことができる。
【００４６】
一方、信号処理装置においてＳビデオ信号を処理したい場合には、信号ケーブル７を外部端子５に接続する。そして、信号ケーブル７が接続されると、接続端子検知手段８が外部端子７ｂを検知し、第二のスイッチング素子３がオンされた状態となる。これにより、制御電圧供給端子２０は接地に接続され、トランジスタ２に制御電圧が供給されず、トランジスタ２は非導通状態となる。
【００４７】
そして、信号ケーブル７の接続端子７ａより入力されたＹ信号は信号ライン１５ａを通り、接続端子７ｂより入力されたＣ信号は信号ライン１５ｂを通ってＹ／Ｃ処理回路１１に入力され処理される。
【００４８】
このように、信号ケーブル７を信号処理装置に接続した場合には、信号ケーブル７よりＳビデオ信号を信号ライン１５ａ、１５ｂに入力し処理することができる。
【００４９】
以上に説明したように、本発明の信号処理装置によると、信号ケーブルが接続されず接続端子が挿入されていない外部端子を検知し、この検知された外部端子に接続される信号ラインが接地される。これにより、信号ライン間のクロストークを防ぐための接地されたラインを特別に設けることなく、クロストークを防ぐことができる。
【００５０】
なお、以上の説明では、外部端子５ｂと信号ライン１５ｂの一組に対する一つの信号干渉防止ユニット１０を設ける例を挙げたが、その他の外部端子及び該外部端子に対応する信号ラインに信号干渉防止ユニットを設けることができ、外部端子及び対応する信号ラインの複数に対して設けることができる。
【００５１】
即ち、外部端子５ａと信号ライン１５ａや、外部端子６及び信号ライン１６に対して信号干渉防止ユニット１０を設けることができる。
【００５２】
そして、複数の外部端子及び信号ラインに対して信号干渉防止ユニット１０を設けると、その信号ラインが信号の処理に用いられない場合に、より多くの信号ラインを接地することができ、より確実にクロストークを防止することができる。かかる観点より、より多くの外部端子及び対応する信号ラインに対して信号干渉防止ユニット１０を設けることが好ましい。
【００５３】
以上の説明では、第二のスイッチング素子３について、一方の端子と他方の端子の間を機械的な接点の動作によってオン／オフさせる通常のスイッチの例を挙げて説明した。
【００５４】
第二のスイッチング素子に半導体スイッチング素子を用いることもできる。即ち、第二のスイッチング素子として半導体スイッチング素子を接続する場合、接続端子検知手段８が接続端子を検知すると、半導体スイッチング素子を導通状態とし、制御電圧供給端子２０が接地されトランジスタ２を非導通状態とすることができる。一方、接続端子検知手段８が接続端子を検知しない場合には、半導体スイッチング素子を非導通状態とし、トランジスタ２を導通状態にすることができる。
【００５５】
また、以上の説明では、トランジスタ２を、ＮＰＮ型トランジスタの例により説明したが、ＰＮＰ型トランジスタを用いることもできる。
【００５６】
また、第一のスイッチング素子には、トランジスタ以外にも、例えばＦＥＴ（電界効果トランジスタ）等の半導体スイッチング素子を接続することができる。即ち、第一のスイッチング素子にトランジスタ以外の半導体スイッチング素子を用いる場合でも、制御端子に制御電圧を入力することにより入力端子と出力端子の間を導通状態とし、入力端子に接続される信号ラインを出力端子に接続される接地に接続させることができる。
【００５７】
また、第一のスイッチング素子として、半導体スイッチング素子以外に、信号ラインに接続される一方の端子と接地に接続される他方の端子の間を、機械的な接点の動作によってオン／オフさせる通常のスイッチを用いることもできる。
【００５８】
即ち、第一のスイッチング素子は、一方の端子と他方の端子の間が非導通状態とされると信号ラインを接地せず、一方の端子と他方の端子の間が導通状態とされると信号ラインを接地に接続するものであればよい。ただし、第一のスイッチング素子として半導体スイッチング素子を用いると、信号干渉防止ユニットをよりコンパクトにできるので好ましい。
【００５９】
また、以上の説明では、第二のスイッチング素子を導通状態とすることにより第一のスイッチング素子を非導通状態とし、第二のスイッチング素子を非導通状態とすることにより第一のスイッチング素子を導通状態とする例により説明したが、第二のスイッチング素子を必ずしも設けなくともよい。
【００６０】
即ち、第二のスイッチング素子を設けることなく、接続端子検知手段が接続端子を検知すると第一のスイッチング素子を導通状態とし、接続端子検知手段が接続端子を検知しない場合に第一のスイッチング素子を非導通状態にするようにしてもよい。
【００６１】
また、以上の説明では信号ケーブルより信号ラインに信号を入力する例を挙げて説明したが、信号ラインより信号ケーブルに信号を出力する場合についても、本発明にかかる信号干渉防止ユニットを設けることができる。
【００６２】
即ち、信号ラインを伝送される信号を信号ケーブルに出力する場合であっても、本発明にかかる信号干渉防止ユニットを設けて信号処理に用いられない信号ラインを接地することにより、信号を伝送する信号ライン間のクロストークを防止することができる。
【００６３】
さらに、本発明の信号干渉防止ユニットを設けるにあたり、信号処理装置は、信号ケーブルとの間で信号の入力と出力の双方に用いられる信号ラインが設けられるものであってもよい。即ち、信号処理装置は、入力モードでは信号ケーブルより信号ラインに信号が入力されるが、出力モードでは信号ラインより信号ケーブルへ信号を出力するように構成されるものでも構わない。
【００６４】
このような信号処理装置であっても、本発明の信号干渉防止ユニットを設けると、信号処理に用いられない信号ラインを接地することにより、信号を伝送する信号ライン間のクロストークを防ぐことができる。
【００６５】
また、以上の説明では、Ｓビデオ信号やコンポジット信号を含む映像信号を処理する装置の例を挙げて説明した。本発明は、映像信号を処理する装置に限られず、複数の外部端子及び信号ラインを備え、複数の信号を処理する全ての装置で実施することができる
【００６６】
【発明の効果】
以上説明したように、本発明によると、信号ケーブルが接続されない外部端子を検知することによって信号処理に用いられない信号ラインを接地し、これにより信号処理に用いられる信号ライン間のクロストークを防ぐことができる。
【００６７】
これにより、クロストークを防止するための接地されたラインを特別に配設する必要がなく、信号処理装置をコンパクトにすることができる。
【図面の簡単な説明】
【図１】本発明にかかる信号干渉防止ユニットを設けた信号処理装置を示す図である。
【符号の説明】
１　　　第一のスイッチング回路
２　　　トランジスタ（第一のスイッチング素子）
２ｂ　ベース端子
２ｃ　コレクタ端子
２ｅ　エミッタ端子
３　　　第二のスイッチング素子
５　　　　外部端子（Ｓ信号入力端子）
５ａ　外部端子（Ｙ信号入力用）
５ｂ　外部端子（Ｃ信号入力用）
６　　外部端子（コンポジット入力端子）
７　　信号ケーブル
７ａ　接続端子
７ｂ　接続端子
８　　接続端子検知手段
９　　その他の外部端子
１０　　信号干渉防止ユニット
１１　　Ｙ／Ｃ処理回路
１５ａ　信号ライン
１５ｂ　信号ライン
１６　　信号ライン
１７　　信号ケーブル
１７ａ　接続端子
１９　　信号ライン
２０　　制御電圧供給端子
２７　　信号ケーブル
２７ａ　接続端子
【図１】
2004032396.tif 000003
【手続補正書】
【提出日】平成15年6月30日(2003.6.30)
【手続補正１】
【補正対象書類名】明細書
【補正対象項目名】請求項７
【補正方法】変更
【補正の内容】
【請求項７】
前記信号干渉防止ユニットが、前記外部端子及び該外部端子に接続される信号ラインの複数に対して設けられることを特徴とする請求項４乃至６のいずれかに記載の信号処理装置。